(57)【要約】      （修正有）【目的】人がエスカレーターに間も無く進入する前にエスカレーターの手すりベルトの消毒洗浄の作業を自動で行うエスカレーター消毒洗浄装置を提供する。【解決手段】エスカレーター消毒洗浄装置は、本体１１０、ベース１２０、第一のセンサ、第一の連通管１４０、噴霧器を備える。本体に消毒洗浄液が貯蔵されている。ベースは本体に接続され、ベースは底部１２１と、底部に接続されている延伸部１２２を備え、延伸部はエスカレーターの手すりベルトの下方に位置する。第一のセンサは底部上に設けられ、本体に電気的に接続される。第一の連通管は、消毒洗浄液を延伸部に送るために配置される。噴霧器は延伸部内に設けられ、本体に電気的に接続される。第一のセンサがエスカレーターの通路の入り口前方に進入した人を検知した時、本体は噴霧器を制御して第一の連通管を介して延伸部に送られた消毒洗浄液を霧化し、手すりベルトにスプレーする。【選択図】図３
0003212608.tif 000002
【実用新案登録請求の範囲】
【請求項１】
エスカレーターに取り付けられるのに適する、エスカレーター消毒洗浄装置であって、
消毒洗浄液が貯蔵されている本体と、
前記本体に接続され、底部と、前記底部と互いに接続され、前記エスカレーターの手すりベルトの下方に位置する延伸部と、を備えるベースと、
前記底部上に設けられ、前記本体に電気的に接続され、前記エスカレーターの通路の入り口前方に進入した人を検知するために配置される第一のセンサと、
前記底部に設けられ、前記消毒洗浄液を前記延伸部に送るために配置される第一の連通管と、
前記延伸部内に設けられ、前記本体に電気的に接続され、前記第一のセンサが前記通路の入り口前方に進入した人を検知した時、霧化した前記消毒洗浄液を前記延伸部を介して前記手すりベルトにスプレーするように、前記本体に制御されて前記第一の連通管を介して前記延伸部に送られた前記消毒洗浄液を霧化する噴霧器と、
を備えることを特徴とするエスカレーター消毒洗浄装置。
【請求項２】
前記本体は、
前記通路外に設けられるケースと、
前記ケース内に設けられ、前記第一のセンサと前記噴霧器がそれぞれ電気的に接続されるコントローラと、
前記ケース内に設けられ、前記消毒洗浄液を貯蔵するために配置される貯蔵タンクと、を備え、
前記第一の連通管は前記貯蔵タンクと前記延伸部を連通させるために配置される請求項１に記載のエスカレーター消毒洗浄装置。
【請求項３】
前記延伸部は第一の流路と複数の噴出口を有し、前記第一の流路と前記複数の噴出口は互いに連通し、前記第一の連通管は前記貯蔵タンクと前記第一の流路を連通させるために配置され、前記第一のセンサが前記通路の入り口前方に進入した人を検知した時、霧化した前記消毒洗浄液を前記複数の噴出口を介して前記手すりベルトにスプレーするように、前記コントローラは前記噴霧器を制御して前記貯蔵タンクから前記第一の連通管を介して前記第一の流路に送られた前記消毒洗浄液を霧化する請求項２に記載のエスカレーター消毒洗浄装置。
【請求項４】
前記ケース内に設けられ、前記コントローラに電気的に接続されるファンと、
前記底部に設けられる第二の連通管と、をさらに備え、
前記延伸部は第二の流路と、前記第二の流路と互いに連通している排気口と、を有し、前記第二の連通管は前記ファンと前記第二の流路に連通し、前記ファンの運転で生じる気流は、前記排気口から前記手すりベルトに吹くように、前記第二の連通管を介して前記第二の流路に流れることができる請求項２に記載のエスカレーター消毒洗浄装置。
【請求項５】
前記本体は、前記コントローラと電気的に接続される電力供給器をさらに備える請求項２に記載のエスカレーター消毒洗浄装置。
【請求項６】
前記電力供給器はバッテリーと、給電／遮断器と、電圧変換器と、を備え、前記バッテリーは前記電圧変換器によって前記給電／遮断器に電気的に接続され、前記給電／遮断器は前記コントローラと電気的に接続される請求項５に記載のエスカレーター消毒洗浄装置。
【請求項７】
前記底部上に設けられ、前記コントローラに電気的に接続され、前記通路内に進入した人を検知するために配置される第二のセンサをさらに備える請求項２に記載のエスカレーター消毒洗浄装置。
【請求項８】
前記延伸部は、逆流ストッパーと、回収タンクと、を有し、前記逆流ストッパーは前記回収タンクの開口に対応して設けられる請求項２に記載のエスカレーター消毒洗浄装置。
【請求項９】
前記本体は、無線送信モジュールをさらに備え、前記無線送信モジュールは、前記ケース内に設けられ、前記コントローラと電気的に接続され、前記コントローラとクラウドサーバは、前記無線送信モジュールによって通信することができる請求項２に記載のエスカレーター消毒洗浄装置。
【請求項１０】
前記延伸部上に設けられ、前記コントローラと電気的に接続され、前記延伸部の周囲の湿度を検知するために配置される湿度センサをさらに備える請求項２に記載のエスカレーター消毒洗浄装置。
【請求項１１】
前記貯蔵タンク内に設けられ、前記コントローラと電気的に接続され、前記貯蔵タンク内の前記消毒洗浄液の水位を検知するために配置される水位センサをさらに備える請求項２に記載のエスカレーター消毒洗浄装置。
【請求項１２】
前記ケース上に設けられ、前記コントローラと電気的に接続され、前記エスカレーター消毒洗浄装置の周囲の懸濁粒子濃度を検知するために配置される懸濁粒子センサをさらに備える請求項２に記載のエスカレーター消毒洗浄装置。
【考案の詳細な説明】
【技術分野】
【０００１】
本考案は消毒洗浄装置に関するものであり、特にエスカレーター消毒洗浄装置に関するものである。
【背景技術】
【０００２】
現在の小売店、大型ショッピングセンター、デパート又はその他の公共の場所には、人が上、下の階を行き来する時に乗るために、エスカレーター又はエレベーターが通常設置されている。一般的に、エスカレーターに乗る時には、人は、通常手の平でエスカレーターの手すりベルトにつかまる、又は腕をエスカレーターの手すりベルトに寄りかからせて、エスカレーターの乗る過程で誤って滑ったり転んだりしないようにする。長時間使用すると、エスカレーターの手すりベルトは、汚れや細菌でいっぱいになり、人は手の平でエスカレーターの手すりベルトにつかまる、又は腕をエスカレーターの手すりベルトに寄りかかる時に、汚れや細菌が付く可能性がある。従来のエスカレーターの手すりベルトの洗浄方式は、人力で行われ、通常は前述の公共の場所の人ごみが少ない時、又は閉鎖後、消毒洗浄の作業を行うことができ、消毒洗浄は効果的ではない。
【０００３】
エスカレーターの手すりベルトを一定の時間ごとに消毒洗浄を行う装置はすでに提出されているが、エスカレーターの手すりベルトを周期的に又は間歇的に消毒洗浄を行うことには欠点があり、例えば、人がエスカレーターに乗る時には、消毒洗浄されておらず、エスカレーターの手すりベルトは、汚れや細菌でいっぱいになっている可能性がある。これに鑑みて、人がエスカレーターに進入する直前にエスカレーターの手すりベルトの消毒洗浄を自動で行う装置を開発することは、現在解決されるべき問題の一つである。
【考案の概要】
【考案が解決しようとする課題】
【０００４】
本考案は、人がエスカレーターに進入する直前にエスカレーターの手すりベルトの消毒洗浄の作業を自動で行うエスカレーター消毒洗浄装置を提供する。
【課題を解決するための手段】
【０００５】
本考案は、エスカレーターに取り付けられるのに適する、エスカレーター消毒洗浄装置を提供する。エスカレーター消毒洗浄装置は、本体、ベース、第一のセンサ、第一の連通管、噴霧器を備える。本体に消毒洗浄液が貯蔵されている。ベースは本体に接続され、ベースは底部と延伸部を備え、延伸部と底部は互いに接続している。延伸部はエスカレーターの手すりベルトの下方に位置する。第一のセンサは底部上に設けられ、本体に電気的に接続される。第一のセンサは、エスカレーターの通路の入り口前方に進入した人を検知するために配置される。第一の連通管は底部に設けられる。第一の連通管は、消毒洗浄液を延伸部に送るために配置される。噴霧器は延伸部内に設けられ、本体に電気的に接続される。第一のセンサが通路の入り口前方に進入した人を検知した時、霧化した消毒洗浄液を延伸部を介して手すりベルトにスプレーするように、本体は噴霧器を制御して第一の連通管を介して延伸部に送られた消毒洗浄液を霧化する。
【０００６】
本考案の実施形態において、前記本体は、ケース、コントローラ、貯蔵タンクを備える。ケースは通路外に設けられる。コントローラはケース内に設けられる。第一のセンサと噴霧器はそれぞれコントローラに電気的に接続される。貯蔵タンクはケース内に設けられる。貯蔵タンクは消毒洗浄液を貯蔵するために配置され、第一の連通管は貯蔵タンクと延伸部を連通させるために配置される。
【０００７】
本考案の実施形態において、前記延伸部は第一の流路と複数の噴出口を有し、第一の流路とこれらの噴出口は互いに連通している。第一の連通管は貯蔵タンクと第一の流路を連通させるために配置される。第一のセンサが通路の入り口前方に進入した人を検知した時、霧化した消毒洗浄液をこれらの噴出口を介して手すりベルトにスプレーするように、コントローラは噴霧器を制御して貯蔵タンクから第一の連通管を介して第一の流路に送られた消毒洗浄液を霧化する。
【０００８】
本考案の実施形態において、前記エスカレーター消毒洗浄装置は、ファン及び第二の連通管をさらに備える。ファンはケース内に設けられ、コントローラに電気的に接続される。第二の連通管は底部に設けられ、延伸部は第二の流路と排気口を有し、第二の流路と排気口は互いに連通している。第二の連通管はファンと第二の流路に連通している。ファンの運転で生じる気流は、排気口から手すりベルトに吹くように、第二の連通管を介して第二の流路に流れることができる。
【０００９】
本考案の実施形態において、前記本体は、コントローラと電気的に接続される電力供給器をさらに備える。
【００１０】
本考案の実施形態において、前記電力供給器はバッテリー、給電／遮断器、電圧変換器を備え、バッテリーは電圧変換器によって給電／遮断器に電気的に接続され、給電／遮断器はコントローラと電気的に接続される。
【００１１】
本考案の実施形態において、前記エスカレーター消毒洗浄装置は、底部上に設けられ、コントローラに電気的に接続される第二のセンサをさらに備える。第二のセンサは通路内に進入した人を検知するために配置される。
【００１２】
本考案の実施形態において、前記延伸部は逆流ストッパーと回収タンクを有する。逆流ストッパーは回収タンクの開口に対応して設けられる。
【００１３】
本考案の実施形態において、前記本体は、無線送信モジュールをさらに備える。無線送信モジュールはケース内に設けられる。コントローラは無線送信モジュールと電気的に接続され、コントローラとクラウドサーバは、無線送信モジュールによって通信することができる。
【００１４】
本考案の実施形態において、前記エスカレーター消毒洗浄装置は、延伸部上に設けられる湿度センサをさらに備える。湿度センサはコントローラと電気的に接続され、湿度センサは、延伸部の周囲の湿度を検知するために配置される。
【００１５】
本考案の実施形態において、前記エスカレーター消毒洗浄装置は、貯蔵タンク内に設けられる水位センサをさらに備える。水位センサはコントローラと電気的に接続され、水位センサは、貯蔵タンク内の消毒洗浄液の水位を検知するために配置される。
【００１６】
本考案の実施形態において、前記エスカレーター消毒洗浄装置は、ケース上に設けられる懸濁粒子センサをさらに備える。懸濁粒子センサはコントローラと電気的に接続され、懸濁粒子センサは、エスカレーター消毒洗浄装置の周囲の懸濁粒子濃度を検知するために配置される。
【考案の効果】
【００１７】
上記に基づき、本考案のエスカレーター消毒洗浄装置は、人がエスカレーターに間も無く進入することを一旦検知すると、人の進入に先立ってエスカレーターの手すりベルトに対して消毒洗浄の作業を自動で行い、人が汚れや細菌でいっぱいのエスカレーターの手すりベルトにつかまったり、寄りかかったりしないようにする。
【図面の簡単な説明】
【００１８】
【図１】本考案の実施形態におけるエスカレーター消毒洗浄装置がエスカレーターに設けられた模式図である。
【図２】本考案の実施形態におけるエスカレーター消毒洗浄装置がエスカレーターに設けられた模式図である。
【図３】図１のエスカレーター消毒洗浄装置の局部透視模式図である。
【図４】図１の延伸部の断面模式図である。
【図５】図２のエスカレーター消毒洗浄装置の領域Ａの局部透視模式図である。
【考案を実施するための形態】
【００１９】
本考案の上述した特徴と利点を更に明確化するために、以下、幾つかの実施形態を挙げて図面と共に詳細な内容を説明する。図１から図４を参照すると、本実施形態において、エスカレーター消毒洗浄装置１００は、エスカレーター１０の通路１１の入り口１２に設けられ、人２０が通路１１を通行するのに影響しないことを原則とする。即ち、エスカレーター消毒洗浄装置１００の部材は、エスカレーター１０の手すり１３を超えて通路１１内に伸びることはない。
【００２０】
エスカレーター消毒洗浄装置１００は、本体１１０、ベース１２０、第一のセンサ１３０、第一の連通管１４０、噴霧器１５０を備え、第一のセンサ１３０と噴霧器１５０はそれぞれ本体１１０に電気的に接続され、本体１１０に消毒洗浄液１０１が貯蔵されている。具体的には、本体１１０は、ケース１１１、コントローラ１１２、貯蔵タンク１１３を備え、コントローラ１１２と貯蔵タンク１１３はそれぞれケース１１１内に設けられ、第一のセンサ１３０と噴霧器１５０はそれぞれコントローラ１１２に電気的に接続される。貯蔵タンク１１３は消毒洗浄液１０１を貯蔵するために配置され、消毒洗浄液１０１は対応する経路によってベース１２０に送られる。本実施形態において、ベース１２０は本体１１０に接続され、ベース１２０は底部１２１と延伸部１２２を備え、延伸部１２２と底部１２１は互いに接続している。底部１２１は本体１１０の下方に位置し、延伸部１２２は底部１２１から通路１１に向かって伸びている。延伸部１２２は手すり１３の手すりベルト１４の下方に位置し、エスカレーター１０の手すり１３を超えて通路１１内に伸びることはないことを原則とする。一方、第一の連通管１４０は底部１２１に設けられ、貯蔵タンク１１３と延伸部１２２を連通させるために配置される。即ち、消毒洗浄液１０１は、貯蔵タンク１１３から第一の連通管１４０によって延伸部１２２に送られることができる。
【００２１】
第一のセンサ１３０は、底部１２１上に設けられる赤外線センサであってもよい。第一のセンサ１３０は、通路１１の入り口１２前方、つまり進入する人から見て入り口１２の手前の範囲で、約３ｍから７ｍに進入した人２０を検知するように、通路１１の入り口１２前方に向けて赤外線を放射することができる。一方、第一のセンサ１３０が放射する赤外線の投射範囲は少なくとも通路１１の入り口１２前方を覆う。例を挙げると、投射範囲は水平投射範囲と垂直投射範囲に大略的に分けられ、水平投射範囲と垂直投射範囲はそれぞれ扇形を呈し、水平投射範囲の扇形の角度は約５０°から７０°であり、垂直投射範囲の扇形の角度は約３０°から５０°である。
【００２２】
本実施形態において、延伸部１２２は第一の流路１２３と複数の噴出口１２４を有し、第一の流路１２３とこれらの噴出口１２４は互いに連通しており、第一の流路１２３は第一の連通管１４０によって貯蔵タンク１１３と互いに連通している。したがって、消毒洗浄液１０１は、貯蔵タンク１１３から第一の連通管１４０によって第一の流路１２３に送られ、第一の流路１２３内に設けられた噴霧器１５０が起動する時、第一の流路１２３に送られた消毒洗浄液１０１は霧化させる。さらに、第一のセンサ１３０が通路１１の入り口１２前方に進入した人２０を検知した時、第一の信号をコントローラ１１２に送信し、第一の信号を受信したコントローラ１１２は第二の信号を噴霧器１５０に送信し、噴霧器１５０を制御して貯蔵タンク１１３から第一の連通管１４０を介して第一の流路１２３に送られた消毒洗浄液１０１を霧化する。これらの噴出口１２４は手すりベルト１４の方を向いていることから、霧化した消毒洗浄液１０１は第一の流路１２３からこれらの噴出口１２４を介して手すりベルト１４にスプレーされる。
【００２３】
簡潔に述べると、本実施形態におけるエスカレーター消毒洗浄装置１００は、人２０がエスカレーター１０に進入する直前に、先立って手すりベルト１４に対して消毒洗浄の作業を自動で行い、人２０が汚れや細菌でいっぱいの手すりベルト１４につかまったり、寄りかかったりしないようにする。
【００２４】
図５は図２のエスカレーター消毒洗浄装置の領域Ａの局部透視模式図である。図１から図５を参照すると、本実施形態において、エスカレーター消毒洗浄装置１００は、例えば赤外線センサである第二のセンサ１６０をさらに備える。第二のセンサ１６０は底部１２１上に設けられ、コントローラ１１２に電気的に接続される。第一のセンサ１３０と第二のセンサ１６０はそれぞれ底部１２１の二つの異なる側壁面上に設けられ、第二のセンサ１６０は通路１１に進入した人２０を検知するように、通路１１に向けて赤外線を放射することができる。具体的には、第二のセンサ１６０は、検知された人２０の数をコントローラ１１２に送るために配置され、人の流れの制御に用いられる。
【００２５】
エスカレーター消毒洗浄装置１００は、ファン１７０及び第二の連通管１８０をさらに備え、ファン１７０はケース１１１内に設けられ、コントローラ１１２に電気的に接続される。第二の連通管１８０は底部１２１に設けられ、延伸部１２２は第二の流路１２５と第二の流路１２５に連通する排気口１２６をさらに有し、第二の連通管１８０はファン１７０と第二の流路１２５に連通している。ファン１７０はコントローラ１１２に制御されて運転され、運転時に生じる気流は、第二の連通管１８０を介して第二の流路１２５に流れて排気口１２６から吹き出ることができる。排気口１２６は手すりベルト１４の方を向いていることから、排気口１２６から吹き出た気流は手すりベルト１４に吹かれて、手すりベルト１４上の消毒洗浄液１０１を吹き飛ばす、又は、手すりベルト１４上の消毒洗浄液１０１を乾燥させる。ちなみに、第一の流路１２３と第二の流路１２５は互いに分離した経路であり、連通していない。
【００２６】
本実施形態において、延伸部１２２は逆流ストッパー１２７と回収タンク１２８をさらに有し、回収タンク１２８の開口１２８ａと排気口１２６はそれぞれこれらの噴出口１２４の対向する両側に位置し、逆流ストッパー１２８は回収タンク１２８の開口１２８ａに対応して設けられる。手すりベルト１４上の消毒洗浄液１０１が重量の作用によって滴る時、開口１２８ａに入って、逆流ストッパー１２７に沿って回収タンク１２８内に回収できる。一方、排気口１２６から吹き出た気流は手すりベルト１４上の消毒洗浄液１０１を回収タンク１２８の開口１２８ａがある方向に流して、手すりベルト１４上の消毒洗浄液１０１の回収の補助に用いられる。
【００２７】
本実施形態において、エスカレーター消毒洗浄装置１００は、湿度センサ１９０と水位センサ１９１をさらに備え、湿度センサ１９０と水位センサ１９１はそれぞれコントローラ１１２に電気的に接続され、湿度センサ１９０は延伸部１２２上に設けられ、水位センサ１９１は貯蔵タンク１１３内に設けられる。詳細には、湿度センサ１９０は、延伸部１２２の周囲の湿度を検知するために配置され、検知された延伸部１２２周囲の湿度のデータをコントローラ１１２に送信する。水位センサ１９１は、貯蔵タンク１１３内の消毒洗浄液１０１の水位を検知するために配置され、検知された貯蔵タンク１１３内の消毒洗浄液１０１の貯蔵量をコントローラ１１２に送信する。一方、エスカレーター消毒洗浄装置１００は、懸濁粒子センサ１９２をさらに備え、懸濁粒子センサ１９２はケース１１１上に設けられ、懸濁粒子センサ１９２はコントローラ１１２と電気的に接続される。懸濁粒子センサ１９２は、エスカレーター消毒洗浄装置１００の周囲の懸濁粒子濃度、特に微小懸濁粒子濃度（ＰＭ２．５）を検知するために配置され、検知された懸濁粒子濃度をコントローラ１１２に送信する。説明が必要なこととして、懸濁粒子センサ１９２はケース１１１上に設けられることに制限せず、その他の適切な位置上に設けられてもよい。
【００２８】
本体１１０は、無線送信モジュール１１４をさらに備え、無線送信モジュール１１４はケース１１１内に設けられ、コントローラ１１２は無線送信モジュール１１４と電気的に接続される。通常、無線送信モジュール１１４の送信方式は、赤外線、無線、ブルートゥース（例えば、低消費電力ブルートゥース）またはワイヤレスフィデリティ（Ｗｉ−Ｆｉ）を含む、または、ワイヤレスモバイル通信手段（例えば、ＧＳＭ、ＧＰＲＳ、３Ｇ又は４Ｇシステム）によって通信と送信を行ってもよく、本考案では限定されない。本実施形態において、コントローラ１１２とクラウドサーバ３０は無線送信モジュール１１４によって通信でき、第二のセンサ１６０を介して検知された人２０の数、湿度センサ１９０を介して検知された延伸部１２２周囲の湿度、水位センサ１９１を介して検知された貯蔵タンク１１３内の消毒洗浄液１０１の貯蔵量、懸濁粒子センサ１９２を介して検知された懸濁粒子濃度等の情報はいずれも、さらなる異常を無線送信モジュール１１４を介してクラウドサーバ３０に送信して、監視センターにエスカレーター消毒洗浄装置１００の運転状態を遠隔監視させることができる。その他の実施形態において、エスカレーター消毒洗浄装置のコントローラは有線送信モジュールによってクラウドサーバと通信してもよく、有線送信モジュールはバーチャルプライベートネットワーク（ＶＰＮ）を採用してもよい。
【００２９】
本実施形態において、本体１１０は、電力供給器１１５をさらに備え、第一のセンサ１３０、噴霧器１５０、コントローラ１１２、第二のセンサ１６０、ファン１７０、湿度センサ１９０、水位センサ１９１、懸濁粒子センサ１９２、無線送信モジュール１１４はそれぞれ電力供給器１１５に電気的に接続され、運転時に必要な電力を電力供給器１１５から得る。電力供給器１１５はバッテリー１１６、給電／遮断器１１７、電圧変換器１１８を備え、バッテリー１１６は電圧変換器１１８によって給電／遮断器１１７と電気的に接続され、給電／遮断器１１７はコントローラ１１２、第一のセンサ１３０、噴霧器１５０、第二のセンサ１６０、ファン１７０、湿度センサ１９０、水位センサ１９１、懸濁粒子センサ１９２、無線送信モジュール１１４に電気的に接続される。
【００３０】
バッテリー１１６に給電する過程において、まず、電圧変換器１１８を介して電圧を第一のセンサ１３０、噴霧器１５０、コントローラ１１２、第二のセンサ１６０、ファン１７０、湿度センサ１９０、水位センサ１９１、懸濁粒子センサ１９２、無線送信モジュール１１４が運転時に必要な電圧に変換し、それから、給電／遮断器１１７を介して、第一のセンサ１３０、噴霧器１５０、コントローラ１１２、第二のセンサ１６０、ファン１７０、湿度センサ１９０、水位センサ１９１、懸濁粒子センサ１９２、無線送信モジュール１１４に電力を送る。エスカレーター消毒洗浄装置に一旦異常が発生すると、コントローラ１１２は給電／遮断器１１７を制御して、全てを遮断または一部を遮断することができる。
【００３１】
以下に、エスカレーター消毒洗浄装置１００の動作メカニズムをさらに説明する。まず、水位センサ１９１によって貯蔵タンク１１３内の消毒洗浄液１０１の貯蔵量を検知し、消毒洗浄液１０１の貯蔵量が不足している場合、コントローラ１１２から無線送信モジュール１１４を介して対応する情報がクラウドサーバ３０に送信されて、監視センターに人を派遣させて消毒洗浄液１０１を補充させる、又はエスカレーター消毒洗浄装置１００を遠隔制御して消毒洗浄液１０１を自動補充させる。これに対して、消毒洗浄液１０１の貯蔵量が足りている場合、第一のセンサ１３０によって人２０がエスカレーター１０に間も無く進入するか否かを検知させる。人２０がエスカレーター１０に間も無く進入する場合、コントローラ１１２によって噴霧器１５０を制御して消毒洗浄液１０１を霧化し、エスカレーター１０の手すりベルト１４にスプレーして、消毒洗浄を行う。一方、第二のセンサ１６０によってエスカレーター１０を通過する人２０の数を検知し、コントローラ１１２から無線送信モジュール１１４を介してクラウドサーバ３０に送信され、人の流れの制御に用いられる。
【００３２】
エスカレーター１０の手すりベルト１４に消毒洗浄液１０１をスプレーする過程において、湿度センサ１９０によって延伸部１２２の周囲の湿度を検知し、検知した湿度が８０％から９０％である場合、コントローラ１１２は消毒洗浄液１０１のスプレーに異常は無いと判断する。これに対して、検知した湿度が６０％から７０％である場合、コントローラ１１２は消毒洗浄液１０１のスプレーに異常が発生したと判断し、給電／遮断器１１７を制御して、全てを遮断または一部を遮断し、特に、噴霧器１５０への給電を停止する。同時に、運転状態異常発生情報をコントローラ１１２から無線送信モジュール１１４を介してクラウドサーバ３０に送信し、監視センターに異常状態をすぐに除去させる。一方、エスカレーター消毒洗浄装置１００は緊急ボタンを配置してもよく、突発した状況が発生した場合、緊急ボタンを押して、無線送信モジュール１１４を介してクラウドサーバ３０に送信されて、監視センターにすぐに現場に人を派遣させて処理させる。
【００３３】
一方、懸濁粒子センサ１９２が検知したエスカレーター消毒洗浄装置１００の周囲の懸濁粒子濃度はコントローラ１１２に送信され、コントローラ１１２から無線送信モジュール１１４を介してクラウドサーバ３０に送信され、さらに放送システム、又は表示看板によって人２０に現場の懸濁粒子濃度を知らせてもよい。
【００３４】
以上をまとめると、本考案のエスカレーター消毒洗浄装置は、人がエスカレーターに間も無く進入するか否かを検知するように、センサが配置され、センサは人がエスカレーターに間も無く進入することを一旦検知すると、本考案のエスカレーター消毒洗浄装置は、人の進入に先立ってエスカレーターの手すりベルトに対して消毒洗浄の作業を自動で行い、人が汚れや細菌でいっぱいのエスカレーターの手すりベルトにつかまったり、寄りかかったりしないようにする。
【００３５】
本考案は以上の実施形態のように示したが、本考案は、これに限られるものではなく、当業者が本考案の要旨の範囲から逸脱しない範囲において、変更又は修正することが可能であるが故に本考案の保護範囲は均等の範囲にまで及ぶものとする。
【産業上の利用可能性】
【００３６】
本考案は、人がエスカレーターに間も無く進入する前にエスカレーターの手すりの消毒洗浄の作業を自動で行うエスカレーター消毒洗浄装置を提供する。
【符号の説明】
【００３７】
１０：エスカレーター
１１：通路
１２：入り口
１３：手すり
１４：手すりベルト
２０：人
３０：クラウドサーバ
１００：エスカレーター消毒洗浄装置
１０１：消毒洗浄液
１１０：本体
１１１：ケース
１１２：コントローラ
１１３：貯蔵タンク
１１４：無線送信モジュール
１１５：電力供給器
１１６：バッテリー
１１７：給電／遮断器
１１８：電圧変換器
１２０：ベース
１２１：底部
１２２：延伸部
１２３：第一の流路
１２４：噴出口
１２５：第二の流路
１２６：排気口
１２７：逆流ストッパー
１２８：回収タンク
１２８ａ：開口
１３０：第一のセンサ
１４０：第一の連通管
１５０：噴霧器
１６０：第二のセンサ
１７０：ファン
１８０：第二の連通管
１９０：湿度センサ
１９１：水位センサ
１９２：懸濁粒子センサ
Ａ：領域
【図１】
0003212608.tif 000003
【図２】
0003212608.tif 000004
【図３】
0003212608.tif 000005
【図４】
0003212608.tif 000006
【図５】
0003212608.tif 000007